(57)【要約】【課題】１０ｍｍ径の線材を用いた鎖を１３ｍｍ対応の取付け金具に支障なく結合することができる自動販売機の盗難防止に用いる鎖を提供する。【解決手段】自動販売機の本体と扉に固定した取付け金具の間に、両端を取付け金具に結合して配置することにより扉の開放を規制する鎖６であり、この鎖６が複数の金属リングを順次結合することによって所定の長さを有し、一方の端部に位置する端部金属リング６ａに１３ｍｍ径のステンレス鋼線材を用い、他の金属リング６ｂに１０ｍｍ径のステンレス鋼線材を用い、前記端部金属リング６ａは、金属線材の両端を突き合わせた状態でリングに形成されている。【選択図】図１
2008090585.tif 000002
【特許請求の範囲】
【請求項１】
自動販売機の本体と扉に固定した取付け金具の間に、両端を取付け金具に結合して配置することにより扉の開放を規制する鎖であり、この鎖が複数の金属リングを順次結合することによって所定の長さを有し、一方の端部に位置する端部金属リングを、他の金属リングよりも太い線径の金属線材を用いて形成した自動販売機の盗難防止に用いる鎖。
【請求項２】
上記金属リングを形成する金属線材にステンレス鋼を使用し、端部金属リングに１３ｍｍ径のステンレス鋼線材を用い、他の金属リングに１０ｍｍ径のステンレス鋼線材を用い、前記端部金属リングは、金属線材の両端を突き合わせた状態でリングに形成されている請求項１に記載の自動販売機の盗難防止に用いる鎖。
【発明の詳細な説明】
【技術分野】
【０００１】
この発明は、自動販売機の本体と扉の間に配置して取付け、施錠装置を破壊しても扉を開くことができないようにし、施錠装置を破壊することで開扉して内部の金品を盗もうとする犯罪を未然に防ぐための自動販売機の盗難防止に用いる鎖に関する。
【背景技術】
【０００２】
自動販売機の内部の金品を盗もうとする犯罪の最も一般的な手法は、施錠装置を破壊することで開扉する方法である。
【０００３】
このような、施錠装置を破壊することで開扉する方法を未然に防止する手段として、図２に示すように、自動販売機１の本体２と扉３の外面に取付け金具４と５を固定しておき、両端を取付け金具４と５に結合することにより、扉３のヒンジと反対の開閉側に鎖６を配置し、扉３を開こうとしても鎖６が開扉を規制するようにした盗難防止装置７が用いられている（例えば、特許文献１参照）。
【０００４】
上記盗難防止装置７は、取付け金具４と５を外部からの打撃で簡単に破損しないように自動販売機１の本体２と扉３に固定され、鎖６は両端を取付け金具４と５に結合した状態で、自動販売機１の外面に大きなたるみを生じない状態で沿うような長さに設定されている。
【０００５】
上記鎖６は、通常時において扉３の開閉が可能になるよう、扉３に固定した取付け金具４と一方の端部は係脱可能とし、他方端部は、自動販売機１の本体２に固定した取付け金具５に取外し不能に結合されている。
【０００６】
扉３に固定した取付け金具４と鎖６の一方端部の係脱は、図１（ｂ）に示すように、ブロック状とした取付け金具４に、鎖６の端部金属リング６ａを抜き差し自在に挿入する挿入孔８と、下面からのキー９操作で上下動して前記挿入孔８に出没するロックシャフト１０を設け、挿入孔８に鎖６の端部金属リング６ａを差込んだ後、キー９でロックシャフト１０を上昇させて端部金属リング６ａを貫通させ、キー９を抜き取ってロックシャフト１０を上昇位置に施錠機構１１でロックすれば、取付け金具４に鎖６の一方端部が抜け止め状に結合され、また、キー９でロックシャフト１０を下降させ、端部金属リング６ａを抜き取れば、取付け金具４と鎖６の結合が解けることになる。
【０００７】
ところで、上記のような鎖６は、工具による切断を困難にするために引張り及び切断の強度が要求され、このため、リングの形成に用いる金属線材の線径が設定され、例えば従来の鎖は、端部金属リングに１３ｍｍ径の線材を用いて形成している。
【０００８】
このため、上記鎖６と組み合わせて使用する扉固定側の取付け金具４は、鎖６の端部金属リング６ａを抜き差し自在に挿入する挿入孔８が、１３ｍｍ径の線材で形成した端部金属リング６ａが納まる条件に形成されている。
【特許文献１】特開２０００−１９９３６３号公報
【発明の開示】
【発明が解決しようとする課題】
【０００９】
上記のような鎖６は、リングの形成に用いる金属線材の材質を選択することにより、従来の１３ｍｍ径の線材よりも細い１０ｍｍ径の線材でも、十分な強度が得られるようになり、経済的な面からもこのような鎖の採用が主流になっている。
【００１０】
しかし、鎖６と組み合わせて使用する扉固定側の取付け金具４を、１０ｍｍ径の線材を用いた鎖用に新規に製作するには、新たに金型を作らなければならず、多額の設備投資が必要になり、既存の金型が無駄になるという経済的な負担が発生する。
【００１１】
また、既に自動販売機に取付けて使用されている盗難防止装置の鎖６を取り換える場合、１３ｍｍ対応の取付け金具４に１０ｍｍ径の線材を用いた鎖６を接続すると、挿入孔８との間にガタツキが生じて結合状態が不安定になり、実質的に使用できないことになる。
【００１２】
そこで、この発明の課題は、１０ｍｍ径の線材を用いた鎖を１３ｍｍ対応の取付け金具に支障なく結合することができる自動販売機の盗難防止に用いる鎖を提供することにある。
【課題を解決するための手段】
【００１３】
上記のような課題を解決するため、この発明は、自動販売機の本体と扉に固定した取付け金具の間に、両端を取付け金具に結合して配置することにより扉の開放を規制する鎖であり、この鎖が複数の金属リングを順次結合することによって所定の長さを有し、一方の端部に位置する端部金属リングを、他の金属リングよりも太い線径の金属線材を用いて形成した構成としたものである。
【００１４】
上記金属リングを形成する金属線材にステンレス鋼を使用し、上記端部金属リングに１３ｍｍ径のステンレス鋼線材を用い、他の金属リングに１０ｍｍ径のステンレス鋼線材を用い、前記端部金属リングは、金属線材の両端を突き合わせた状態でリングに形成されている構造とすることができる。
【００１５】
ここで、鎖の１０ｍｍ径のステンレス鋼線材を用いた金属リングは、金属線材の突き合わせた両端を溶接して固定化し、この金属リングを必要な長さになる数を順次接続し、また、１３ｍｍ径のステンレス鋼線材を用いた端部金属リングは、金属線材の両端を突き合わせてリングに形成することにより、引張り荷重に対して突き合わせ端部が開くという柔軟性をもたせ、これにより、鎖に対する引張り荷重に対して、端部金属リングと他の金属リングの強度を同程度とし、強度の違いにより他の金属リングに切断が生じやすいという問題を回避している。
【００１６】
上記のように、鎖の一方端部に位置する端部金属リングを１３ｍｍ径のステンレス鋼線材で形成することにより、鎖を形成する金属リングの線材の小径化を図りながら、１３ｍｍ対応の取付け金具に支障なく結合することができる。
【発明の効果】
【００１７】
この発明によると、鎖の一方の端部に位置する端部金属リングを、他の金属リングよりも太い線径の金属線材を用いて形成したので、鎖を形成する金属リングの線材を細くしても、自動販売機に固定した取付け金具に対して従前通りに結合することができ、鎖のコスト低減を図りながら、自動販売機に対する盗難防止の機能を維持することができる。
【００１８】
また、鎖を形成する線材の小径化を図りながら、既存の取付け金具に結合できるので、取付け金具の新規製作が不要になり、既存の取付け金具を継続して使用することにより、経済的な負担の軽減が図れることになる。
【００１９】
更に、端部金属リングを、金属線材の両端を突き合わせてリングに形成することにより、引張り荷重に対して突き合わせ端部が開くという柔軟性をもたせることができ、これにより、鎖に対する引張り荷重に対して、端部金属リングと他の金属リングの強度を同程度とし、強度の違いにより他の金属リングに切断が生じやすいという問題を防ぐことができる。
【発明を実施するための最良の形態】
【００２０】
以下、この発明の実施の形態を添付図面に基づいて説明する。なお、背景技術の項で述べた盗難防止装置については統一符号を付して説明する。また、一方端部の金属リングについては、上述した背景技術の項も以降の実施の形態でも共に６ａの符号を用いている。
【００２１】
図２で示したように、自動販売機１の盗難防止装置７は、自動販売機１の本体２の側面と扉３の外面にそれぞれ取付け金具４と５を固定しておき、両端を取付け金具４と５に結合することにより、扉３のヒンジと反対の開閉側に鎖６を配置し、扉を開こうとしても鎖６が開扉を規制するようになっている。
【００２２】
上記盗難防止装置に用いる鎖は、両端を取付け金具４と５に結合した状態で、自動販売機１の外面に大きなたるみを生じない状態で沿うような長さに設定されて、この鎖６は、通常の扉３の開閉が可能になるよう、扉３に固定した取付け金具４と一方の端部は係脱可能とし、他方端部は、自動販売機１の本体２に固定した取付け金具５に取外し不能に結合されている。
【００２３】
扉に固定した取付け金具４の構造は、図１（ｂ）に示したとおりであり、また、このブロック状となる取付け金具４と鎖６の端部金属リング６ａの結合と取外しは、背景技術の項で述べたとおりである。
【００２４】
上記の鎖６は、図１（ａ）のように、長円形に曲げた複数の金属リングを順次結合することによって所定の長さを有し、一方の端部に位置する端部金属リング６ａを、他の金属リング６ｂよりも太い線径の金属線材を用いて形成されている。
【００２５】
具体的には、金属リングを形成する金属線材にステンレス鋼を使用し、一方の端部金属リング６ａに１３ｍｍ径のステンレス鋼線材を用い、他の金属リング６ｂに１０ｍｍ径のステンレス鋼線材を用い、金属線材の両端を溶接することによって形成され、前記一方の端部金属リング６ａは、金属線材の両端を直線部の途中で突き合わせて突合せ部ａとした状態でリングに形成されている。
【００２６】
上記した扉固定側の取付け金具４は、鎖６の一方の端部金属リング６ａを抜き差し自在に挿入する挿入孔８が、１３ｍｍ径の線材によって製作された一方の端部金属リング６ａが水平状態で納まる条件に形成されている。
【００２７】
また、自動販売機１の本体２に固定する取付け金具５は、図２のように、鎖６他方端部の金属リング６ｂを差込んでボルトで結合する構造だけでなく、Ｕボルトを用いて自動販売機１の本体２に固定する構造を採用してもよく、この取付け金具５に鎖６の他方端部を結合することにより、本体２から取り外しできないように固定される。
【００２８】
この発明の鎖６は、上記のような構成であり、図２のように、自動販売機１の本体２と扉３の外面に取付け金具４と５を固定しておき、両端を各取付け金具４と５に結合することにより、扉３のヒンジと反対の開閉側に鎖６を配置し、扉３を開こうとしても鎖６が開扉を規制することになる。
【００２９】
上記鎖６は、一方の端部金属リング６ａに１３ｍｍ径のステンレス鋼線材を用い、他の金属リング６ｂに１０ｍｍ径のステンレス鋼線材を用いて所定の長さに形成され、扉３に固定した取付け金具４は、１３ｍｍのリングに対応する構造を有し、鎖６の一方の端部に位置する端部金属リング６ａは、１３ｍｍ径の線材によって製作されているので、挿入孔８に差込んでキー９の操作によりロックシャフト１０を係合させれば、前記取付け金具４にガタツキなく確実に結合することができ、他の金属リング６ｂが１０ｍｍ径のステンレス鋼線材を用いて形成された鎖６であっても、１３ｍｍの金属リングに対応する取付け金具４に使用することができることになる。
【００３０】
このように、鎖６の一方の端部に位置する端部金属リング６ａを、他の金属リング６ｂよりも太い線径の金属線材を用いて形成することにより、鎖６を形成する他の金属リング６ｂの線材を細くしても、自動販売機１に固定した１３ｍｍの金属リングに対応する取付け金具４に対して従前通りに結合することができ、鎖６の材料コスト低減を図りながら、従来通り自動販売機１に対する盗難防止の機能を維持することができる。
【００３１】
また、鎖６を形成する他の金属リング６ｂの線材の小径化を図りながら、他の金属リング６ｂよりも太い線径の金属線材を用いて形成した一方の端部金属リング６ａによって、既存の１３ｍｍのリングに対応する取付け金具４に結合できるので、取付け金具４の新規製作が不要になり、既存の取付け金具４を継続して使用することにより、経済的な負担の軽減が図れることになる。
【００３２】
更に、一方の端部金属リング６ａを、金属線材の両端を、長円形リングの直線部の途中で突き合わせてリングに形成することにより、大きな引張り荷重に対して突き合わせ端部が開くという柔軟性をもたせることができ、これにより、鎖６に対する引張り荷重に対して、一方の端部金属リング６ａと他の金属リング６ｂの強度を同程度とし、強度の違いにより他の金属リング６ｂに切断が生じやすいという問題を防ぐことができる。
【図面の簡単な説明】
【００３３】
【図１】（ａ）はこの発明に係る鎖の平面図、（ｂ）は自動販売機の扉に固定した取付け金具と鎖の結合状態を示す縦断正面図
【図２】自動販売機とこれに取付けた盗難防止装置の斜視図
【符号の説明】
【００３４】
１        自動販売機
２        本体
３        扉
４        取付け金具
５        取付け金具
６        鎖
６ａ      端部金属リング
６ｂ      他の金属リング
７        盗難防止装置
８        挿入孔
９        キー
１０      ロックシャフト
１１      施錠機構
【図１】
2008090585.tif 000003
【図２】
2008090585.tif 000004